(57)【要約】【課題】ストラップを取り付けても良好な操作感を維持することができ、美観が損なわれることのない携帯用電子機器を提供する。【解決手段】本体部を外装し、前記本体部の一部を表出する開口部を有する外装部材と、前記外装部材に取り付けられ、前記開口部を開閉自在に被覆する蓋部材と、前記本体部のうち前記蓋部材によって遮蔽される領域に設けられ、取り付け用の小ループを有するストラップを取り付け可能なストラップ取付部と、を備える。【選択図】        図３
2008076744.tif 000002
【特許請求の範囲】
【請求項１】
本体部を外装し、前記本体部の一部を表出する開口部を有する外装部材と、
前記外装部材に取り付けられ、前記開口部を開閉自在に被覆する蓋部材と、
前記本体部のうち前記蓋部材によって遮蔽される領域に設けられ、取り付け用の小ループを有するストラップを取り付け可能なストラップ取付部と、
を備えたことを特徴とする携帯用電子機器。
【請求項２】
前記外装部材は、
前記ストラップ取付部に取り付けられた前記ストラップを前記外装部材の外部へ延出させる延出路を有することを特徴とする請求項１記載の携帯用電子機器。
【請求項３】
前記ストラップ取付部は、
取り付けられる前記ストラップが有する前記小ループを係合する係合部を備えたことを特徴とする請求項１または２記載の携帯用電子機器。
【請求項４】
前記ストラップ取付部は、
前記係合部に係合された前記小ループの可動範囲を制限し、前記小ループを前記延出路へ案内する案内部を備えたことを特徴とする請求項３記載の携帯用電子機器。
【発明の詳細な説明】
【技術分野】
【０００１】
本発明は、小型の携帯用電子機器に関する。
【背景技術】
【０００２】
デジタルカメラ、携帯電話、ＩＣレコーダ等の小型の携帯用電子機器には、落下を防止するために使用者の手、首、肩などを通して吊り下げるひも状のストラップを取り付け可能なストラップ取付部が設けられている。このようなストラップ取付部は、携帯用電子機器の表面に設けられるのが一般的である（例えば、特許文献１〜５を参照）。
【０００３】
【特許文献１】特開２００３−８４３５８号公報
【特許文献２】特開２００３−２７３５２９号公報
【特許文献３】特開２００３−２９５２７９号公報
【特許文献４】特開２００４−２５８２２０号公報
【特許文献５】特開２００６−３９３３２号公報
【発明の開示】
【発明が解決しようとする課題】
【０００４】
しかしながら、使用者が携帯用電子機器を操作する際に、その機器表面に設けられたストラップ取付部やストラップが使用者の手に当たり、良好な操作感が得られなくなってしまう場合があった。
【０００５】
また、取り付けたストラップの結び目部分などによって機器全体の美観が損なわれてしまうこともあった。
【０００６】
本発明は、上記に鑑みてなされたものであって、ストラップを取り付けても良好な操作感を維持することができ、美観が損なわれることのない携帯用電子機器を提供することを目的とする。
【課題を解決するための手段】
【０００７】
上述した課題を解決し、目的を達成するために、本発明の一態様に係る携帯用電子機器は、本体部を外装し、前記本体部の一部を表出する開口部を有する外装部材と、前記外装部材に取り付けられ、前記開口部を開閉自在に被覆する蓋部材と、前記本体部のうち前記蓋部材によって遮蔽される領域に設けられ、取り付け用の小ループを有するストラップを取り付け可能なストラップ取付部と、を備えたことを特徴とする。
【０００８】
また、上記発明において、前記外装部材は、前記ストラップ取付部に取り付けられた前記ストラップを前記外装部材の外部へ延出させる延出路を有するとしてもよい。
【０００９】
また、上記発明において、前記ストラップ取付部は、取り付けられる前記ストラップが有する前記小ループを係合する係合部を備えてもよい。
【００１０】
また、上記発明において、前記ストラップ取付部は、前記係合部に係合された前記小ループの可動範囲を制限し、前記小ループを前記延出路へ案内する案内部を備えてもよい。
【発明の効果】
【００１１】
本発明によれば、本体部を外装し、前記本体部の一部を表出する開口部を有する外装部材と、前記外装部材に取り付けられ、前記開口部を開閉自在に被覆する蓋部材と、前記本体部のうち前記蓋部材によって遮蔽される領域に設けられ、取り付け用の小ループを有するストラップを取り付け可能なストラップ取付部と、を備えたことにより、ストラップを取り付けても良好な操作感を維持することができ、美観が損なわれることのない携帯用電子機器を提供することができる。
【発明を実施するための最良の形態】
【００１２】
以下、添付図面を参照して本発明を実施するための最良の形態（以後、「実施の形態」と称する）を説明する。なお、以下の説明で参照する図面はあくまでも模式的なものであって、同じ物体を異なる図面で示す場合には、寸法や縮尺等が異なる場合もある。
【００１３】
（実施の形態１）
図１は、本発明の実施の形態１に係る携帯用電子機器であるデジタルカメラの外観構成を示す斜視図である。同図に示すデジタルカメラ１は、撮影レンズによって集光し結像した光を光電変換し、この光電変換で得た電気信号に所定の画像処理を加えることによって画像データを生成する装置である。デジタルカメラ１は、撮像レンズを含む撮像部１１と、ストロボ発光を行うフラッシュ１２と、撮像時に押下されるシャッターボタン１３と、デジタルカメラ１の本体部を外装する外装部材をなす二つのカバー部材１４および１５と、を備える。図１に示すデジタルカメラ１には、所定の位置にストラップＳが取り付けられている。
【００１４】
デジタルカメラ１の本体部には、撮像処理を含む諸機能を実現する部材として、デジタルカメラ１の駆動制御を行うためにＣＰＵ等を用いて構成される制御回路、ＣＣＤやＣＭＯＳ等の固体撮像素子、音声の入力や出力をそれぞれ行うマイクロフォンやスピーカ、および制御回路の制御のもと各機能部材を駆動する駆動回路などの各種電子的部材および光学的部材が収納されている（図示せず）。また、撮像部１１が表出する面（前面とする）と反対側の背面側には、画像情報や文字情報を表示するために液晶等のディスプレイを用いて実現される表示部や、使用者がデジタルカメラ１を操作するために必要な情報を入力する操作ボタン群などが表出している（図示せず）。
【００１５】
図２は、デジタルカメラ１の底面側の要部の構成を示す図である。なお、ここでいう「底面」とは、シャッターボタン１３が表出する面（上面とする）と反対側の面のことを意味している。図２に示すデジタルカメラ１の底面側には、外装部材（カバー部材１４および１５）が有する開口部を被覆する蓋部材１６が設けられている。この蓋部材１６は長方形状の表面を有しており、図２で左側の短辺部付近を回動中心として開閉される。このような開閉機構は、例えば前述した短辺部にヒンジを設けることによって実現することができる。なお、蓋部材１６は、図２に示す状態で所定のロック機構（図示せず）によってロックされている。
【００１６】
ストラップＳは、デジタルカメラ１に取り付けられる小ループＳ１と、使用者が手などを通す大ループＳ２と、小ループＳ１および大ループＳ２を連結する連結部Ｓ３とを有する。このようなストラップＳとしては、例えば手、首、および肩を大ループＳ２からそれぞれ通すことによって吊り下げるタイプのハンドストラップ、ネックストラップ、およびショルダストラップがある。
【００１７】
小ループＳ１は、カバー部材１４とカバー部材１５の境界を含む領域に形成された溝状の延出路１４５を通ってデジタルカメラ１の外部に延出している。このため、小ループＳ１の先端部付近は、蓋部材１６を閉じた状態では蓋部材１６によって遮蔽されており、デジタルカメラ１の外部から見ることができない（図１および図２を参照）。
【００１８】
なお、図２に示す延出路１４５はあくまでも一例に過ぎない。例えば、小ループＳ１を挿通可能な孔部を外装部材の適当な位置に形成し、この孔部を延出路としてもよい。
【００１９】
本実施の形態１では、小ループＳ１を通す延出路１４５が底面部と側面部の境界をなす稜線部近傍に形成されているため、使用者がデジタルカメラ１を保持する際、ストラップＳが手のひらに当たったりすることがない。したがって使用者は、撮影時にストラップＳとの接触に起因する違和感を抱くことなく撮影に集中することができる。
【００２０】
続いて、蓋部材１６に被覆されている部分の構成を説明する。図３は、蓋部材１６を開いた状態を示す図であり、ストラップＳの本体部への取り付け態様を示す図である。同図に示すように、蓋部材１６によって外部から遮蔽されていた領域には、デジタルカメラ１の本体部の一部をなす凹部１７が形成されている。この凹部１７の表面には、フラッシュメモリ等の携帯型記憶媒体およびリチウムイオン電池等の電池をそれぞれ挿入する挿入口１８および１９と、ストラップＳを取り付けるストラップ取付部２０とが設けられている。
【００２１】
ストラップ取付部２０は、小ループＳ１を係合する係合部２０ａと、小ループＳ１を延出路１４５へ案内する案内部２０ｂとを有する。このうち、係合部２０ａはコの字型をなす棒状部材からなり、図３に示す場合、その両端部は凹部１７の底面と繋がっている。他方、案内部２０ｂもコの字型をなす棒状部材からなるが、そのうちの一方の端部のみが凹部１７の底面と繋がっており、他方の端部と凹部１７の底面との間には隙間がある。係合部２０ａおよび案内部２０ｂは、剛性が高い金属または樹脂によって形成されるのが好ましい。
【００２２】
凹部１７の底面から見た係合部２０ａの高さをｈ1、凹部１７の底面から見た案内部２０ｂの高さをｈ2、案内部２０ｂの端部のうち凹部１７の底面と繋がっていない端部から見た案内部２０ｂの高さをｈ3とすると、ｈ2とｈ3に関しては常にｈ2＞ｈ3が成立しているが、ｈ1とｈ2との大小関係およびｈ1とｈ3との大小関係は、カバー部材１４、１５、蓋部材１６の各形状またはそれらの部材間の位置関係、凹部１７の深さ等の諸条件に応じて適宜設定される。
【００２３】
小ループＳ１のうち、係合箇所である結び目部分よりも連結部Ｓ３に近い部分は、案内部２０ｂの一端部と凹部１７との隙間を通すことによって案内部２０ｂに引っ掛けられる。このようにして案内部２０ｂに引っ掛けられた小ループＳ１は、その可動方向が案内部２０ｂによって制限されることとなる。
【００２４】
案内部２０ｂの機能について、より詳細に説明する。図３に示す場合、蓋部材１６の回動中心の軸方向とストラップＳの結び目部分が係合されている係合部２０ａの軸方向（コの字の縦線部分の軸方向）はほぼ平行である。このため、案内部２０ｂが設けられていない場合には、蓋部材１６が開く方向と略同じ方向にストラップＳを引っ張ることによって蓋部材１６を開けてしまう恐れがある。本実施の形態１では、上記の如く案内部２０ｂを設けているため、ストラップＳを引っ張ることによって蓋部材１６を開けてしまうのを防止することができる。
【００２５】
案内部２０ｂの設置位置は、上述したｈ1とｈ2との大小関係などと同じく、カバー部材１４、１５や蓋部材１６の各形状またはそれらの部材間の位置関係、凹部１７の深さ等の諸条件に応じて適宜定めればよい。
【００２６】
以上の構成を有するストラップ取付部２０は、凹部１７の表面に一体的に形成してもよいし、別部材として形成したものを凹部１７の表面に装着するようにしてもよい。また、係合部２０ａおよび案内部２０ｂの各形状は、上述したコの字形状に限られるわけではなく、例えば凹部１７の側面同士を連結する直線状の棒状部材を係合部としてもよい。
【００２７】
なお、図２および図３では、ストラップＳの取り付け態様を説明するのが主眼であるため、カバー部材１５の表面の構成すなわちデジタルカメラ１の背面側の構成や、カバー部材１４とカバー部材１５との接続態様の詳細などについては記載を省略している。これらの記載が省略されている部分については、従来のデジタルカメラと同様の構成を有するものとしてもよい。
【００２８】
以上説明した本発明の実施の形態１によれば、本体部を外装し、前記本体部の一部を表出する開口部を有する外装部材と、前記外装部材に取り付けられ、前記開口部を開閉自在に被覆する蓋部材と、前記本体部のうち前記蓋部材によって遮蔽される領域に設けられ、取り付け用の小ループを有するストラップを取り付け可能なストラップ取付部と、を備えたことにより、ストラップを取り付けても良好な操作感を維持することができ、美観が損なわれることのない携帯用電子機器（デジタルカメラ）を提供することができる。
【００２９】
また、本実施の形態１によれば、取り付けられたストラップは、略直方体状をなす外装部材底面の稜線部付近から外部へ延出するため、使用者が撮影する際にデジタルカメラを保持してもストラップを邪魔と感じたりすることがなく、撮影に集中することができる。
【００３０】
さらに、本実施の形態１によれば、ストラップ取付部が蓋部材によって外部から遮蔽されて見えなくなっているので、ストラップを取り付けない使用者は、ストラップ取付部の存在を気にしないで済む。
【００３１】
（実施の形態２）
図４は、本発明の実施の形態２に係る携帯用電子機器であるデジタルカメラの構成を示す斜視図である。同図に示すデジタルカメラ２は、撮像部２１、フラッシュ２２、およびシャッターボタン２３を備える。また、デジタルカメラ２は、二つのカバー部材２４および２５を備える。なお、図４の背面側の構成、および図示しない本体部の機能構成は、上記実施の形態１に係るデジタルカメラ１で説明したのと同様である。
【００３２】
カバー部材２４および２５から構成され、デジタルカメラ２の本体部を外装する外装部材は、その側面に開口部を有している。なお、ここでいう「側面」とは、撮像部２１が表出する前面およびシャッターボタン１３が表出する上面とそれぞれ交差する面（図４の場合には直交する面）を意味している。開口部を有する外装部材の側面には、その開口部を開閉自在に被覆する蓋部材２６が設けられている。この蓋部材２６は長方形状の表面を有しており、図４で左側の長辺部付近を回動中心として開閉される。このような開閉機構は、例えば前述した長辺部にヒンジを設けることによって実現することができる。なお、蓋部材２６は、図４に示す状態で所定のロック機構（図示せず）によってロックされている。
【００３３】
デジタルカメラ２に取り付けられたストラップＳは、カバー部材２４とカバー部材２５との境界を含む領域に形成された延出路２４５を通ってデジタルカメラ２の外部に延出している。このため、小ループＳ１の先端部付近は、蓋部材２６を閉じた状態では蓋部材２６によって遮蔽されており、デジタルカメラ２の外部から見ることができない。
【００３４】
本実施の形態２においても、延出路２４５が底面部と側面部の境界をなす稜線部近傍に形成されているため、使用者がデジタルカメラ２を保持する際にストラップＳが手のひらに当たったりすることがない。したがって使用者は、撮影時にストラップＳとの接触に起因する違和感を抱くことなく撮影に集中することができる。
【００３５】
次に、蓋部材２６に被覆されている部分の構成を説明する。図５は、蓋部材２６を開いた状態を示す図であり、ストラップＳの取り付け態様を示す図である。同図に示すように、蓋部材２６によって外部から遮蔽されていた領域には、デジタルカメラ２の本体部の一部をなす凹部２７が形成されている。この凹部２７の表面には、携帯型記憶媒体および電池をそれぞれ挿入する挿入口２８および２９と、ストラップＳを取り付けるストラップ取付部３０とが設けられている。
【００３６】
ストラップ取付部３０は、小ループＳ１を係合する係合部３０ａを有する。この係合部３０ａはコの字型をなす棒状部材からなり、図５に示す場合、その両端部は凹部２７の底面と繋がっている。デジタルカメラ２では、蓋部材２６の回動中心の軸方向とストラップＳの結び目部分が係合されている係合部３０ａの軸方向（コの字の縦線部分の軸方向）はほぼ直交しているため、ストラップＳを如何なる方向に引っ張ったとしても、蓋部材２６が開けてしまうことがない。したがって、本実施の形態２においては、小ループＳ１の可動範囲を制限する必要はなく、上記実施の形態１のストラップ取付部２０が有する案内部２０ｂに相当する部材を設けなくてもよい。
【００３７】
以上説明した本発明の実施の形態２によれば、上記実施の形態１と同様、ストラップを取り付けても良好な操作感を維持することができ、美観が損なわれることのない携帯用電子機器（デジタルカメラ）を提供することができる。また、使用者がデジタルカメラを保持してもストラップを邪魔と感じることがなく、撮影に集中することができる。さらに、ストラップを取り付けない使用者は、ストラップ取付部の存在を気にしないで済む。
【００３８】
加えて、本実施の形態２によれば、蓋部材の回動中心の軸方向とストラップの結び目部分が係合されている係合部の軸方向が略直交しているため、ストラップを如何なる方向に引っ張っても蓋部材を開けてしまう恐れがない。したがって、ストラップ取付部の部品点数を最小限に抑えることが可能となる。
【００３９】
（その他の実施の形態）
ここまで、本発明を実施するための最良の形態として、実施の形態１および２を詳述してきたが、本発明はそれら２つの実施の形態によってのみ限定されるべきものではない。例えば、本発明に係る携帯用電子機器は、デジタルカメラ以外の各種携帯用カメラ、携帯電話、ＰＨＳまたはＰＤＡ等の携帯型通信端末、携帯型オーディオ装置、ＩＣレコーダ、携帯型ラジオ、各種家電製品のリモコン、デジタルビデオなどでもよい。
【００４０】
また、本発明に係る携帯用電子機器が、外部機器との接続用インターフェース（ＤＣ入力端子やＵＳＢ接続端子等を含む）を蓋部材で被覆する構成を有する場合には、その接続用インターフェースを被覆する領域にストラップ取付部を設けてもよい。
【００４１】
なお、本発明に係る携帯用電子機器に取り付けるストラップは、取り付け用の小ループを有していればよく、例えば装飾部材が連結部に連結された装飾用のストラップでも構わない。
【００４２】
このように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００４３】
【図１】本発明の実施の形態１に係る携帯用電子機器（デジタルカメラ）の構成を示す斜視図である。
【図２】本発明の実施の形態１に係る携帯用電子機器（デジタルカメラ）の底面側の要部の構成を示す図である。
【図３】図２に示す状態から蓋部材を開いた状態を示す図である。
【図４】本発明の実施の形態２に係る携帯用電子機器（デジタルカメラ）の構成を示す斜視図である。
【図５】図４に示す状態から蓋部材を開いた状態を示す図である。
【符号の説明】
【００４４】
１、２  デジタルカメラ
１１、２１  撮像部
１２、２２  フラッシュ
１３、２３  シャッターボタン
１４、１５、２４、２５  カバー部材
１６、２６  蓋部材
１７、２７  凹部
１８、１９、２８、２９  挿入口
２０、３０  ストラップ取付部
２０ａ、３０ａ  係合部
２０ｂ  案内部
１４５、２４５  延出路
Ｓ  ストラップ
Ｓ１  小ループ
Ｓ２  大ループ
Ｓ３  連結部
【図１】
2008076744.tif 000003
【図２】
2008076744.tif 000004
【図３】
2008076744.tif 000005
【図４】
2008076744.tif 000006
【図５】
2008076744.tif 000007